(57)【要約】【課題】連結杆を通してコンクリート壁中に雨水が浸入するのを、完全に防止することができるようにする。【解決手段】外装部材６とナット部材７とで端止体４を構成する。外装部材６の凹部６ｃ内に、非加硫ブチルゴム製の本体８ａと水溶性の外皮８ｂとからなる止水部材８を配置する。これにより、外装部材６とナット部材７と間が、本体８ａによって止水される。止水部材８の中心孔９を通して、連結杆２の先端ねじ部２ａをナット部材７に螺装すると、本体８ａの一部が先端ねじ部２ａに絡み付いてナット部材７内に螺入する。これにより、先端ねじ部２ａとナット部材７との間が止水される。型枠３内に生コンクリートを打設すると、生コンクリート中の水分によって外皮８ｂが溶け、本体８ａと生コンクリートとが直接接触することになる。【選択図】図１
2006063600.tif 000002
【特許請求の範囲】
【請求項１】
連結杆の先端部に螺装されて型枠の内側に配置される端止体と；この端止体の外端側に内側ねじ部が螺装され、外側ねじ部が型枠に設けた孔を貫通して外面側に突出する連結ねじ部材と；を備えた端止装置において、前記端止体は、筒状をなす外装部材と；この外装部材内に内端側から挿入配置され、内端フランジ部の内端面が前記外装部材に設けた凹部の底面とほぼ面一の状態で軸方向の位置決めがなされるナット部材と；を備え、前記外装部材の凹部には、非加硫ブチルゴムを主体とするドーナツ板状の止水部材が配されていることを特徴とする端止装置。
【請求項２】
外装部材の凹部は、その周面がナット部材に向かって次第に縮径するテーパ状をなしていることを特徴とする請求項１記載の端止装置。
【請求項３】
止水部材は、非加硫ブチルゴム製の本体と、この本体の内端面を被覆する水溶性の外皮とを備えていることを特徴とする請求項１または２記載の端止装置。
【請求項４】
外装部材は、セラミックスで形成されていることを特徴とする請求項１，２または３記載の端止装置。
【発明の詳細な説明】
【技術分野】
【０００１】
本発明は、型枠を内側から支持する端止装置に係り、特に連結杆を通してコンクリート壁中に雨水が浸入するのを防止することができる端止装置に関する。
【背景技術】
【０００２】
従来から、例えば実開平５−６００９号公報に示されているように、連結杆の先端部に螺装されて型枠の内側に配置される端止体と；この端止体の外端側に内側ねじ部が螺装され、外側ねじ部が型枠に設けた孔を貫通して外面側に突出する連結ねじ部材と；を備えた端止装置は一般に知られている。
【０００３】
ところで、前記従来の端止装置においては、連結杆を通してコンクリート壁中に浸入してくる雨水を止める手段がなかったため、雨水がコンクリート壁中に浸入し易いと云う問題があった。
【０００４】
特に、山留め壁や連続地中壁等の壁体に対向して型枠を設置し、壁体と型枠との間にコンクリートを打設してコンクリート壁を構築する場合（建物の地下階を建設する等の場合）には、多量の地下水が壁体側で発生するおそれがあるため大きな問題となる。
【０００５】
そこで、本発明者等は先に、例えば特開平７−１３９１６５号公報に示されているように、連結杆を通してコンクリート壁中に雨水が浸入するのを防止することができる止水装置を提案した。
【特許文献１】実開平５−６００９号公報
【特許文献２】特開平７−１３９１６５号公報
【発明の開示】
【発明が解決しようとする課題】
【０００６】
本発明者等が先に提案した止水装置は、連結杆の途中位置にも、また端止装置の位置にも装着できるため、予想される漏水量に合わせて設置個数を調整することができる等の利点を有しているが、反面連結杆や端止装置とは別体構造となっているため、現場での作業量が増大し、現場作業員の負担が増大するという問題がある。
【０００７】
本発明は、かかる現況に鑑みなされたもので、現場での作業量の増大を伴なうことなく、コンクリート壁中への雨水の浸入を防止することができる端止装置を提供することを目的とする。
【０００８】
本発明の他の目的は、外装部材の凹部と止水部材との粘着一体性を向上させ、連結杆の先端部をナット部材にねじ込んだ際に、止水部材か凹部から剥離するのを完全に防止することができる端止装置を提供するにある。
【０００９】
本発明の他の目的は、現場での作業性をより向上させることができる端止装置を提供するにある。
【００１０】
本発明のさらに他の目的は、外装部材とコンクリート壁との一体性をより向上させることができる端止装置を提供するにある。
【課題を解決するための手段】
【００１１】
前記目的を達成するため本発明は、連結杆の先端部に螺装されて型枠の内側に配置される端止体と；この端止体の外端側に内側ねじ部が螺装され、外側ねじ部が型枠に設けた孔を貫通して外面側に突出する連結ねじ部材と；を備えた端止装置において、前記端止体を、筒状をなす外装部材と；この外装部材内に内端側から挿入配置され、内端フランジ部の内端面が前記外装部材に設けた凹部の底面とほぼ面一の状態で軸方向の位置決めがなされるナット部材と；で構成し、前記外装部材の凹部には、非加硫ブチルゴムを主体とするドーナツ板状の止水部材を配するようにしたことを特徴とする。
【００１２】
本発明はまた、外装部材における凹部の周面を、ナット部材に向かって次第に縮径するテーパ状に形成するようにしたことを特徴とする。
【００１３】
本発明はまた、止水部材を、非加硫ブチルゴム製の本体と、この本体の内端面を被覆する水溶性の外皮とで構成するようにしたことを特徴とする。
【００１４】
本発明はさらに、外装部材をセラミックスで形成するようにしたことを特徴とする。
【発明の効果】
【００１５】
本発明は、連結杆の先端部に螺装されて型枠の内側に配置される端止体と；この端止体の外端側に内側ねじ部が螺装され、外側ねじ部が型枠に設けた孔を貫通して外面側に突出する連結ねじ部材と；を備えた端止装置において、前記端止体を、筒状をなす外装部材と；この外装部材内に内端側から挿入配置され、内端フランジ部の内端面が前記外装部材に設けた凹部の底面とほぼ面一の状態で軸方向の位置決めがなされるナット部材と；で構成し、前記外装部材の凹部には、非加硫ブチルゴムを主体とするドーナツ板状の止水部材を配するようにしているので、凹部内面および内端フランジ部の内端面に、止水部材が自己の有する粘着力で完全に接着し、これらの間からの雨水の浸入を防止することができる。また、連結杆の先端部をナット部材にねじ込む際に、止水部材か連結杆に絡み付いてナット部材内に螺入され、これらの間からの雨水の浸入を防止することができる。
【００１６】
ところで、止水部材が連結杆に絡み付いてナット部材内に螺入されると、止水部材は、その全体が中心側に引張られることになるが、止水部材は、凹部内に配されていて、その外周面を含めた広い面積で、凹部内面および内端フランジ部の内端面に接着しているので、厚さが薄くなることはあっても、止水部材が凹部から剥離して止水性能が低下すると云った不具合はない。
【００１７】
本発明はまた、外装部材における凹部の周面を、ナット部材に向かって次第に縮径するテーパ状に形成しているので、止水部材の大きさを、凹部の底部の大きさよりも稍大寸法にしておき、止水部材を押圧して凹部内に配するようにすれば、止水部材の外周面が凹部の内周面に押圧された状態で接着されることになる。このため、止水部材と凹部との接着力が増大し、止水部材の剥離をより確実に防止することができる。
【００１８】
本発明はまた、止水部材を、非加硫ブチルゴム製の本体と、この本体の内端面を被覆する水溶性の外皮とで構成するようにしているので、本体の内端面を剥離紙で被覆した場合と異なり、連結杆の先端部をナット部材に螺装した後、外皮を撤去する必要がない。このため、現場での作業性を向上させて、現場作業員の労力軽減を図ることができる。
【００１９】
本発明はさらに、外装部材をセラミックスで形成するようにしているので、型枠内に打設されたコンクリートと外装部材との一体性を向上させ、プラスチックス製の場合と異なり、温度が大幅に変動した場合であっても、コンクリート壁にクラックが入るおそれがない。
【発明を実施するための最良の形態】
【００２０】
以下、本発明を図面を参照して説明する。
図１は、本発明の実施の一形態に係る端止装置を示すもので、この端止装置１は、セパレータ等の連結杆２の先端ねじ部２ａに螺装されて型枠３の内側に配置される端止体４と、この端止体４の外端側に内側ねじ部５ａが螺装される連結ねじ部５とを備えており、前記連結ねじ部５の外側ねじ部５ｂは、図１および図２に示すように、中間ナット部５ｃを型枠３に設けた孔３ａに挿入した状態で前記孔３ａを貫通し、型枠３の外面側に突出するようになっている。そして、外側ねじ部５ｂの突出先端部には、工具掛け部５ｄが設けられている。
【００２１】
前記端止体４は、図１および図３に示すように、セラミックス製の外装部材６と、この外装部材６内に内端側から挿入配置される金属製のナット部材７とを備えており、前記連結杆２と連結ねじ部材５とは、ナット部材７を介して相互に連結されるようになっている。
【００２２】
前記外装部材６は、図１および図３に示すように、外面がテーパの筒状に形成されており、その内部には、ナット部材７の本体部７ａが挿入配置される六角孔状の本体配置部６ａ，ナット部材７の内端フランジ部７ｂが挿入配置される皿穴状のフランジ配置部６ｂ，および後述する止水部材８が装着固定される凹部６ｃがそれぞれ形成されている。
【００２３】
前記本体配置部６ａは、図１に示すように、六角ナット状をなすナット部材７の本体部７ａの長さよりも稍長寸法に形成されており、ナット部材７の内端フランジ部７ｂを、フランジ配置部６ｂ内に挿入配置して密着させた状態でも、前記本体部７ａの外端面が外装部材６に接触しないようになっている。
【００２４】
また、前記フランジ配置部６ｂは、図１および図３に示すように、その深さがナット部材７の内端フランジ部７ｂの厚さとほぼ同一寸法に形成されており、内端フランジ部７ｂをフランジ配置部６ｂ内に挿入配置した状態では、内端フランジ部７ｂの内端面が、外装部材７の凹部６ｃの底面とほぼ面一となるよう考慮されている。
【００２５】
また、前記凹部６ｃは、図１および図３に示すように、後述する止水部材８の厚さとほぼ同一の深さを有する皿穴状に形成されており、その周面は、ナット部材７の内端フランジ部７ｂに向かって次第に縮径するテーパ状に形成されている。
【００２６】
一方、前記止水部材８は、図１および図４に示すように、非加硫ブチルゴム製の本体８ａと、この本体８ａの内端面を被覆する例えばポリビニルアルコール製の水溶性を有する外皮８ｂとからドーナツ円板状に形成されており、その中心孔９は、前記連結杆２の先端ねじ部２ａの径よりも稍小径に寸法設定されている。そしてこれにより、中心孔９を通して先端ねじ部２ａをナット部材７に螺装した際し、本体８ａが先端ねじ部２ａに絡み付いて先端ねじ部２ａとともにナット部材７内に螺入され、先端ねじ部２ａとナット部材７との間を完全に止水するようになっている。
【００２７】
前記止水部材８の外径は、図３に示す凹部６ｃの左端側の径（大きい方の径）よりも小径で、かつ凹部６ｃの右端側の径（小さい方の径）よりも大径に寸法設定されており、これにより、止水部材８を押圧しながら凹部６ｃ内に挿入配置した際に、止水部材８の外周面が強い力で凹部６ｃの周面に接着固定されるようになっている。
【００２８】
次に、本実施の形態の作用について説明する。
型枠３の支持に際しては、まず製造段階において、外装部材６内にナット部材７を挿入配置するとともに、凹部６ｃ内に止水部材８を配置し、止水部材８の本体８ａ自体が有する粘着力で、外装部材６とナット部材７とが一体に組付けられた状態で、端止体４を完成させておく。
【００２９】
ところで、止水部材８の本体８ａは、非加硫ブチルゴムで形成されているので、それ自体が『鳥もち』のようにねばねばしているが、外部に露出している部分は、外皮８ｂで被覆されているので、保管時に端止体４同志が接着して分離不能となるといった不具合が全くない。
【００３０】
一方、現場においては、図１に示すように、端止体４に連結ねじ部材５の内側ねじ部５ａを螺装するとともに、この端止体４を、連結杆２の先端ねじ部２ａに螺装する。
【００３１】
ところでこの際、止水部材８の中心孔９は、先端ねじ部２ａの径よりも稍小径に寸法設定されているので、先端ねじ部２ａを、中心孔９を通してナット部材７に螺装する際に、本体８ａの一部が先端ねじ部２ａに絡み付いて先端ねじ部２ａとともにナット部材７内に螺入することになる。このため、先端ねじ部２ａとナット部材７との間が、螺入した本体８ａの一部によって完全に止水されることになる。
【００３２】
また、本体８ａの一部がナット部材７内に螺入すると、止水部材８全体が中心孔９側に引張られることになるが、本体８ａは、凹部６ｃの内面および内端フランジ部７ｂの内端面に広い面積で接着しているので、止水部材８全体が中心孔９側に引張られた際に、本体８ａの厚さが薄くなることはあっても、本体８ａと凹部６ｃとの間に剥離が生じて、この間の止水性が低下するといった不具合は全くない。
【００３３】
このようにして連結杆２の先端部に、端止体４および連結ねじ部材５を取付けたならば、型枠３を立て込んで、その孔３ａに連結ねじ部材５の外側ねじ部５ｂを貫通させる。そして、型枠３の外側に突出した外側ねじ部５ｂに、例えば実開平５−６００９号公報に示されているような締付金具等を装着して、型枠３を固定する。その後、型枠３の内側（図１における型枠３の左側）に生コンクリートを打設する。
【００３４】
ところで、打設された生コンクリートと止水部材８の本体８ａとは、直接接触しないことになるが、外皮８ｂはポリビニルアルコール製で水溶性を有しているので、打設された生コンクリート中の水分によって外皮８ｂが溶け、生コンクリートと本体８ａとを直接接触させることができる。このため、非加硫ブチルゴムのカルボキシル基とセメント中のＣａＯ成分とが反応してイオン結合し、単なる接着よりも大きな接着力が得られ、生コンクリートとの間を完全に止水することができる。
【００３５】
しかして、外装部材６の凹部６ｃ内に、止水部材８を配置するようにしているので、連結杆２の先端ねじ部２ａを、ナット部材７に螺装するだけで、この部分を完全に止水することができる。
【００３６】
なお、前記実施の一形態においては、凹部６ｃの周面がテーパ状をなす場合について説明したが、止水部材８を凹部６ｃ内に配置する際に、止水部材８の外周面を意識的に凹部６ｃの周面に接着させるようにすれば、必ずしもテーパ面である必要はない。また、温度変化の少ない箇所であれば、外装部材６はプラスチック製であってもよい。また、現場での作業は多少面倒になるが、外皮８ｂに代えて剥離紙を用いるようにしてもよい。
【産業上の利用可能性】
【００３７】
以上説明したように、本発明に係る端止装置は、型枠を内側から支持する装置として有用であり、特に連結杆を通してコンクリート壁中に雨水が浸入するのを完全に防止することができる装置として適している。
【図面の簡単な説明】
【００３８】
【図１】本発明実施の一形態に係る端止装置を示す説明図である。
【図２】型枠および連結ねじ部材の構成を示す説明図である。
【図３】端止体の構成を示す分解図である。
【図４】止水部材および連結杆の構成を示す説明図である。
【符号の説明】
【００３９】
１  端止装置
２  連結杆
２ａ  先端ねじ部
３  型枠
３ａ  孔
４  端止体
５  連結ねじ部材
５ａ  内側ねじ部
５ｂ  外側ねじ部
５ｃ  中間ナット部
５ｄ  工具掛け部
６  外装部材
６ａ  本体配置部
６ｂ  フランジ配置部
６ｃ  凹部
７  ナット部材
７ａ  本体部
７ｂ  内端フランジ部
８  止水部材
８ａ  本体
８ｂ  外皮
９  中心孔
【図１】
2006063600.tif 000003
【図２】
2006063600.tif 000004
【図３】
2006063600.tif 000005
【図４】
2006063600.tif 000006